【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
炉からクーラハウジング内の格子上に焼成されたバルク材料が供給され、前記格子上のバルク材料の層にガスを流通させることにより、前記バルク材料を冷却処理する冷却処理方法において、
搬送方向に長い複数の厚板を備え、
各厚板は、搬送方向の前方へは、少なくとも二つの隣り合う厚板が同時に移動するように駆動され、搬送方向の後方へは、互いに時期を違えて移動するように駆動されることを特徴とするバルク材料の層を処理する冷却処理方法。
【請求項２】
前記厚板上に載せられたバルク材料に対して前記厚板によって及ぼされる摩擦が、隣の厚板上に載せられた材料及び／又はハウジングの壁によって前記材料に及ぼされる摩擦よりも低くなるように、前記厚板の幅を十分に狭く形成していることを特徴とする請求項１記載の方法。
【請求項３】
バルク材料の層の平均高さは、前記厚板の０．７倍以上であることを特徴とする請求項１又は２記載の方法。
【請求項４】
前記厚板の後退行程は前進行程よりも速いことを特徴とする請求項１乃至３のいずれかに記載の方法。
【請求項５】
端近くに配置された少なくとも一つの厚板は、他の厚板よりも低い往復頻度で、及び／又は低い振幅で移動されることを特徴とする請求項１乃至４のいずれかに記載の方法。
【請求項６】
継続的に操作されることを特徴とする請求項１乃至５のいずれかに記載の方法。
【請求項７】
ある種の搬送パラメータが、個々の厚板又は隣り合う厚板グループに載せられた材料に対して別々に測定され、前記厚板又は厚板グループの搬送速度が、前記パラメータの測定値の関数として影響されることを特徴とする請求項１乃至６のいずれかに記載の方法。
【請求項８】
炉からクーラハウジング内の格子上に供給された焼成されたバルク材料を、ガスを用いて処理する冷却処理する装置であって、前記格子（５）上には如何なる搬送手段も備えておらず、バルク材料（８）の層を、供給端部から搬送方向（１１）の前方の放出端部まで搬送すると共に、ガスを流通させることができる格子（５）を有する冷却処理装置において、
搬送方向に長い複数の厚板（１０）を備え、
各厚板（１０）は、搬送方向の前方及び後方に交互に移動されると共に、隣り合う厚板（１０）同士は後退行程時には同時には駆動されず、前進行程時には同時に駆動されるように制御されることを特徴とする冷却処理装置。
【請求項９】
固定式の端部厚板が配置され、又は固定式の中間厚板が被駆動厚板間に配置されていることを特徴とする請求項８記載の装置。
【請求項１０】
前記厚板（１０）は複数の冷却通路用の開口（１２）を有しており、隣り合う厚板（１０）間又は厚板（１０）と壁（１）の間にシール装置（３２，３４；４６，４７）が設けられていることを特徴とする請求項８又は９記載の装置。
【請求項１１】
前記シール装置（３２，３４；４６，４７）は、材料の層内に挿入されると共に少なくとも一つの前記厚板（１０）に設けられた細長い片（３４）を備えていることを特徴とする請求項８乃至１０のいずれかに記載の装置。
【請求項１２】
前記シール装置（３２−３４）は、前記格子（５）の下側に縦向きのチャンネル（３２）を備えており、
該縦向きのチャンネル（３２）は、ある程度の材料を収納できるようになっていることを特徴とする請求項１１記載の装置。
【請求項１３】
前記厚板（１０）に設けられた細長い片（３４）は、隣の厚板（１０）上に載せられた材料の層内に挿入され、
前記隣の厚板（１０）には、前記細長い片（３４）の背後から噛み合う垂直壁（３３）が設けられていることを特徴とする請求項１１又は１２記載の装置。
【請求項１４】
縦方向の所定位置にシール状セクション（４７）が配置されており、
該シール状セクション（４７）は、２つの細長い片を有し、
該２つの細長い片は、二つの隣り合う厚板（１０）上に載せられた材料の層内に挿入されていることを特徴とする請求項１１又は１２記載の装置。
【請求項１５】
中間の厚板及び／又はシール状セクション（３２，４７）は壁（５０）に連結されており、
該壁（５０）は、２つの厚板（１０）間に配置されると共に、格子の下側を関連する複数の空間（１７）に分割していることを特徴とする請求項１１、１２又は１４記載の装置。
【請求項１６】
前記シール装置（３２，３４，４６，４７）は、エアが流通可能であることを特徴とする請求項１１乃至１５のいずれかに記載の装置。
【請求項１７】
前記細長い片（３４）と前記チャンネル（３２）の垂直壁（３３）との間の横向きの空間は、厚板（１０）又は複数の厚板（１０）の横向きのガイドすき間よりも大きく設定されていることを特徴とする請求項１１乃至１６のいずれかに記載の装置。
【請求項１８】
前記細長い片（３４）と前記チャンネル（３２）の垂直壁（３３）との間の横向きの空間は、前記チャンネル（３２）の底部と前記細長い片（３４）との間の垂直方向のすき間よりも大きく設定されていることを特徴とする請求項１１乃至１７のいずれかに記載の装置。
【請求項１９】
前記チャンネル（３２）は、放出端部で開口していることを特徴とする請求項１１乃至１８のいずれかに記載の装置。
【請求項２０】
前記チャンネル（３２）は、供給端部で開口していることを特徴とする請求項１１乃至１９のいずれかに記載の装置。
【請求項２１】
前記格子（５）の供給端部は、該格子（５）の表面の上方に延設されている供給セクション（４）によって、少なくとも時々は、覆われるようになっていることを特徴とする請求項８乃至２０のいずれかに記載の装置。
【請求項２２】
前記供給セクション（４）と前記格子（５）との間に、シール（２２）を配置していることを特徴とする請求項２１記載の装置。
【請求項２３】
前記格子（５）の表面に、エア通過開口（１２）を有する材料保持用の中空部（１４）を設けていることを特徴とする請求項２１又は２２記載の装置。
【請求項２４】
前記格子（５）の供給端部もまた、材料保持用の中空部（１４）を有しており、
供給端部の凹部（１４）内のエア通過開口（１２）は、供給セクション（４）によって覆われた領域内のエア供給装置から遮蔽されていることを特徴とする請求項２１乃至２３のいずれかに記載の装置。
【請求項２５】
行程長さは、１００mm〜１０００mmであり、好ましくは、３００mm〜６００mmであることを特徴とする請求項８乃至２４のいずれかに記載の装置。
【手続補正２】
【補正対象書類名】明細書
【補正対象項目名】発明の名称
【補正方法】変更
【補正の内容】
【発明の名称】焼成されたバルク材料の冷却処理方法及び冷却処理装置
【手続補正３】
【補正対象書類名】明細書
【補正対象項目名】０００４
【補正方法】変更
【補正の内容】
【０００４】
（発明の開示）
本発明による方法は、炉からクーラハウジング内の格子上に焼成されたバルク材料が供給され、格子上のバルグ材料の層にガスを流通させることにより、前記バルグ材料の層を冷却する冷却処理方法において、搬送方向に延びる複数の厚板から構成された格子を使用している。それら複数の厚板は、搬送方向に材料を移動させるために、搬送方向の前方及び後方に移動される。格子の動きは、搬送方向の前方に厚板が移動する場合には、各厚板は、少なくとも隣り合う一つの厚板と共に移動し、搬送方向の後方に厚板が移動する場合には、各厚板は、隣り合う厚板とは異なる時期に移動するように、制御される。この場合、厚板の幅は、次のように狭く製作される。すなわち、厚板が後方に移動している間、その厚板上の材料に及ぼされる後方への搬送作用は上記厚板と材料との間の摩擦に基づいており、一方、前方への搬送作用又は保持作用は隣り合う材料又は側壁によって生じる摩擦に基づいているが、後者の摩擦よりも前者の摩擦が低くなるように、厚板の幅が狭く製作されている。これにより、一つの厚板が二つの固定式厚板間を後退する時、厚板上の材料の細片は、隣り合う厚板上に載せられた材料によって、殆ど又は完全に同じ場所に保持され、この範囲において上記後退した厚板と共に移動することはない。二つ又はそれ以上の隣り合う厚板が、それらの上に載せられた材料と共に搬送方向の前方に同時に移動する時、それらが固定又は反対方向に移動している独立した厚板を囲んでいる場合には、後者の厚板上に載せられた材料の細片の総て又は少なくともかなりの部分が、前方に運搬される。上記移動を適切に制御することにより、たとえば、隣り合う複数の厚板が同時に前進している間、それらの隣の厚板が該厚板上の材料を保持するように制御することにより、材料の層は搬送方向の前方に搬送される。